(57)【特許請求の範囲】
【請求項１】
画像形成装置のスキャナの下方に配置されている本体固定部材と、この本体固定部材の上に載置され前記スキャナを支持するスキャナ支持部材と、前記本体固定部材の上部に外から嵌合され前記スキャナ支持部材を支持する補強部材とを有し、前記補強部材は前記本体固定部材に対して取付角度が調整可能であり、前記補強部材の前記本体固定部材に対する取付角度の調整に伴い前記スキャナ支持部材の角度が調整されることを特徴とするスキャナ保持装置。
【請求項２】
画像形成装置のスキャナの下方に配置されている本体固定部材と、この本体固定部材の上に載置され前記スキャナを支持するスキャナ支持部材と、前記本体固定部材の上部に外から嵌合され前記スキャナ支持部材を支持する補強部材とを有し、前記補強部材は前記本体固定部材に対して取付角度が調整可能であり、前記補強部材は上板とこの上板の両端下部に形成された側板とを有し、前記補強部材の前記両側板における前記本体固定部材と反対側端部に係止溝部を形成し、中央部に取付貫通穴を形成された軸部材の両端部を前記係止溝部に嵌入し、前記軸部材の前記取付貫通穴と対向するように前記本体固定部材にタップ穴を形成し、雄ネジが前記軸部材の前記取付貫通穴を貫通した状態で前記雄ネジの先端部を前記本体固定部材のタップ穴に螺合し、前記雄ネジの締付力により前記軸部材および前記補強部材を前記本体固定部材の方向へ押圧して前記本体固定部材に対する前記補強部材の取付角度を調整可能とし、前記補強部材の前記本体固定部材に対する取付角度の調整に伴い前記スキャナ支持部材の角度が調整されることを特徴とするスキャナ保持装置。
【請求項３】
画像形成装置のスキャナの下方に配置されている本体固定部材と、この本体固定部材の上に載置され前記スキャナを支持するスキャナ支持部材と、前記本体固定部材の上部に外から嵌合され前記スキャナ支持部材を支持する補強部材とを有し、前記補強部材は前記本体固定部材に対して取付角度が調整可能であり、前記補強部材は上板とこの上板の両端下部に形成された側板とを有し、前記補強部材の前記両側板における前記本体固定部材と反対側端部に係止溝部を形成し、これらの係止溝部のほぼ中央部に前記本体固定部材と反対方向へ突出する半円状突起を形成し、中央部に取付貫通穴を形成された板部材の両端部を前記係止溝部に嵌入し、前記板部材の前記取付貫通穴と対向するように前記本体固定部材にタップ穴を形成し、雄ネジが前記板部材の前記取付貫通穴を貫通した状態で前記雄ネジの先端部を前記本体固定部材のタップ穴に螺合し、前記雄ネジの締付力により前記板部材を前記係止溝部の前記半円状突起に圧接させて前記補強部材を前記本体固定部材の方向へ押圧して前記本体固定部材に対する前記補強部材の取付角度を調整可能とし、前記補強部材の前記本体固定部材に対する取付角度の調整に伴い前記スキャナ支持部材の角度が調整されることを特徴とするスキャナ保持装置。
【請求項４】
請求項１、２および３のいずれか１つに記載のスキャナ保持装置において、前記スキャナ支持部材に２つの下部突起を形成し、かつ、これらの下部突起を前記本体固定部材に接触させることを特徴とするスキャナ保持装置。
【発明の詳細な説明】
【０００１】
【発明の属する技術分野】
本発明は、デジタル複写機またはファクシミリ装置などの画像形成装置に用いられるスキャナ保持装置に関する。
【０００２】
【従来の技術】
従来のスキャナ保持装置として、図１０に示すものが知られている。図１０は従来のスキャナ保持装置１０１を用いている画像形成装置１０２を示す分解斜視図である。画像形成装置１０２は、プリンタ部１０３と、このプリンタ１０３の上に配設されているスキャナ（画像読み取り装置）１０４とを有している。スキャナ保持装置１０１は、プリンタ部１０３に固定されており、かつ、スキャナ１０４を支持するものである。スキャナ保持装置１０１は、プリンタ部１０３に固定されている本体固定部材１０５と、この本体固定部材１０５に載置されスキャナ１０４を支持するスキャナ支持部材１０６と、本体固定部材１０５の上端部に取り付けられスキャナ支持部材１０６を支持する補強部材１０７とを有している。
【０００３】
【発明が解決しようとする課題】
しかしながら、従来のスキャナ保持装置１０１においては、ユーザーがスキャナ１０３の左前部Ａに誤って手をついたり、または、ひじをついたりしてスキャナ１０３に下方向に過度な荷重をかけた場合に、スキャナ保持装置１０１のスキャナ支持部材１０６がその荷重に耐えられずに変形してしまうから、スキャナ１０３の位置が変化して画像形成に悪影響がでてしまうという問題がある。この場合には、サービスマンはスキャナ支持部材１０６を交換しなければならないから、この交換のための時間と費用が必要となり、稼働率が低下し、かつ、ランイニングコストおよびメンテンンスコストが増加するという問題が生じる。
本発明の課題は、前記問題を解決することにある。すなわち、本発明の目的は、スキャナ支持部材が荷重により変形しても、スキャナ支持部材の位置を容易に調整することができるスキャナ保持装置を提供することにある。
【０００４】
【課題を解決するための手段】
前記課題を解決するために、請求項１に記載の発明は、画像形成装置のスキャナの下方に配置されている本体固定部材と、この本体固定部材の上に載置され前記スキャナを支持するスキャナ支持部材と、前記本体固定部材の上部に外から嵌合され前記スキャナ支持部材を支持する補強部材とを有し、前記補強部材は前記本体固定部材に対して取付角度が調整可能であり、前記補強部材の前記本体固定部材に対する取付角度の調整に伴い前記スキャナ支持部材の角度が調整されることを特徴とする。
請求項２に記載の発明は、画像形成装置のスキャナの下方に配置されている本体固定部材と、この本体固定部材の上に載置され前記スキャナを支持するスキャナ支持部材と、前記本体固定部材の上部に外から嵌合され前記スキャナ支持部材を支持する補強部材とを有し、前記補強部材は前記本体固定部材に対して取付角度が調整可能であり、前記補強部材は上板とこの上板の両端下部に形成された側板とを有し、前記補強部材の前記両側板における前記本体固定部材と反対側端部に係止溝部を形成し、中央部に取付貫通穴を形成された軸部材の両端部を前記係止溝部に嵌入し、前記軸部材の前記取付貫通穴と対向するように前記本体固定部材にタップ穴を形成し、雄ネジが前記軸部材の前記取付貫通穴を貫通した状態で前記雄ネジの先端部を前記本体固定部材のタップ穴に螺合し、前記雄ネジの締付力により前記軸部材および前記補強部材を前記本体固定部材の方向へ押圧して前記本体固定部材に対する前記補強部材の取付角度を調整可能とし、前記補強部材の前記本体固定部材に対する取付角度の調整に伴い前記スキャナ支持部材の角度が調整されることを特徴とする。
請求項３に記載の発明は、画像形成装置のスキャナの下方に配置されている本体固定部材と、この本体固定部材の上に載置され前記スキャナを支持するスキャナ支持部材と、前記本体固定部材の上部に外から嵌合され前記スキャナ支持部材を支持する補強部材とを有し、前記補強部材は前記本体固定部材に対して取付角度が調整可能であり、前記補強部材は上板とこの上板の両端下部に形成された側板とを有し、前記補強部材の前記両側板における前記本体固定部材と反対側端部に係止溝部を形成し、これらの係止溝部のほぼ中央部に前記本体固定部材と反対方向へ突出する半円状突起を形成し、中央部に取付貫通穴を形成された板部材の両端部を前記係止溝部に嵌入し、前記板部材の前記取付貫通穴と対向するように前記本体固定部材にタップ穴を形成し、雄ネジが前記板部材の前記取付貫通穴を貫通した状態で前記雄ネジの先端部を前記本体固定部材のタップ穴に螺合し、前記雄ネジの締付力により前記板部材を前記係止溝部の前記半円状突起に圧接させて前記補強部材を前記本体固定部材の方向へ押圧して前記本体固定部材に対する前記補強部材の取付角度を調整可能とし、前記補強部材の前記本体固定部材に対する取付角度の調整に伴い前記スキャナ支持部材の角度が調整されることを特徴とする。
請求項４に記載の発明は、請求項１、２および３のいずれか１つに記載の発明において、前記スキャナ支持部材に２つの下部突起を形成し、かつ、これらの下部突起を前記本体固定部材に接触させることを特徴とする。
【０００５】
【発明の実施の形態】
次に、本発明の実施の形態を図面に基づいて詳細に説明する。
図１は本発明の１つの実施の形態に係るスキャナ保持装置を用いる画像形成装置を示す斜視図である。図２は図１の画像形成装置を分解して示す分解斜視図である。図１に示すように、画像形成装置１は、プリンタ２と、このプリンタ２の上に配設されているスキャナ（画像読み取り装置）３とを有している。スキャナ保持装置４は、プリンタ２に固定されており、かつ、スキャナ３の一端部を支持するものである。
図２に示すように、スキャナ保持装置４は、スキャナ３の下方におけるプリンタ２の上部の一端部に固定されている本体固定部材５と、この本体固定部材５の上に載置されスキャナ３を支持するスキャナ支持部材６と、本体固定部材５の上端部に外から嵌合されスキャナ支持部材６を支持する補強部材７とを有している。補強部材７は本体固定部材５に対して取付角度が調整可能である。補強部材７の本体固定部材５に対する取付角度が調整されると、補強部材７に支持されているスキャナ支持部材６の位置も調整される。スキャナ保持装置４は、外装カバー８により被覆される。
【０００６】
スキャナ支持部材６は、上方に開口している溝部６ａを有する横断面がほぼコ字状に形成されている。スキャナ支持部材６の一側板には、２つの取付穴９、１０が形成されている。また、スキャナ支持部材６の前端部には、取付片１１が形成されている。この取付片１１には、取付穴１２が形成されている。プリンタ２の上部の他端部には、２つの支持片１３、１４が固定されている。前方側の支持片１３には、取付片１５が形成されている。この取付片１５には、取付穴１６が形成されている。
スキャナ３は、スキャナ保持装置４のスキャナ支持部材６および支持片８の上に載置される。スキャナ３の底部におけるスキャナ支持部材６と対向する部分には、２つの折曲片１７、１８が形成されている。スキャナ３がスキャナ保持装置４のスキャナ支持部材６に載置された場合に、折曲片１７、１８はスキャナ支持部材６の溝部６ａに嵌入される。外装カバー８には、２つの取付穴１９、２０が形成されている。
スキャナ３がスキャナ保持装置４のスキャナ支持部材６および支持片８の上に載置された状態において、ネジ２１が取付片１５の取付穴１６を挿通してネジ２１の先端部がスキャナ３のネジ穴に螺合される。また、この状態において、ネジ２２が取付片１１の取付穴１２を挿通してネジ２２の先端部がスキャナ３のネジ穴に螺合される。さらに、ネジ２３、２４は外装カバー８の取付穴１９、２０およびスキャナ支持部材６の一側板の取付穴９、１０を挿通してネジ２３、２４の先端部が折曲片１７、１８の内部に嵌入される。これにより、スキャナ３は、プリンタ２の上に固定され、かつ、スキャナ保持装置４に保持される。
【０００７】
次に、スキャナ保持装置４を図３、図４、図５および図６に基づいて詳細に説明する。図３は図１のスキャナ保持装置４を分解して示す分解斜視図である。図４は図３のスキャナ保持装置４のスキャナ支持部材６の下部突起を示す一部拡大斜視図である。図５は図３のスキャナ保持装置４のスキャナ支持部材６と本体固定部材５との位置関係を示す一部拡大正面図である。図６はスキャナ保持装置４の補強部材７と軸部材および雄ネジを示す分解拡大斜視図である。
スキャナ支持部材６の底板６ｂには、図３、図４および図５に示すように下方へ突出する２つの下部突起２５が形成さている。底板６ｂおよび下部突起２５には、図３および図４に示すように取付穴２６が形成されている。本体固定部材５の上端部には、２つのネジ穴２７が形成されている。下部突起２５が本体固定部材５の上端部に接触した状態で、２つのネジ２８が取付穴２６を挿通してネジ２８の先端部が本体固定部材５の上端部のネジ穴２７に螺合される。これにより、スキャナ支持部材６が本体固定部材５に取り付けられる。ネジ穴２７はネジ２８のネジ部より大きく形成されている。このため、スキャナ支持部材６は下部突起２５を支点として所定範囲内において回動可能に本体固定部材５に支持される。また、スキャナ支持部材６の底板６ｂには、２つの取付穴２９が形成されている。補強部材７は、上板７ａとこの上板７ａの両端下部に形成された側板７ｂとを有している。補強部材７の上板７ａには、２つのネジ穴３０が形成されている。スキャナ支持部材６の底板６ｂが補強部材７の上板７ａに載置された状態で、２つのネジ３１が取付穴２９を挿通してネジ３１の先端部が補強部材７の上板７のネジ穴３０に螺合される。これにより、スキャナ支持部材６は補強部材７に固定される。
【０００８】
補強部材７の両側板７ｂには、それぞれ２つの取付長穴３２が形成されている。補強部材７の両側板７ｂと対向する本体固定部材５には、ネジ穴３３が形成されている。補強部材７が本体固定部材５の上端部に外から嵌合された状態において、ネジ３４が両側板７ｂの取付長穴３２を挿通しネジ３４の先端部が本体固定部材５のネジ穴３３に螺合される。補強部材７の両側板７ａにおける本体固定部材５と反対側端部には、半円状の係止溝部３５が形成されている。軸部材３６の両端部は係止溝部３５に嵌入される。軸部材３６の中央部には、取付貫通穴３７が形成されている。軸部材３６の両端部には、段差部３６ａが形成されている。軸部材３６の両端部が係止溝部３５に嵌入される場合に、軸部材３６の段差部３６ａが側板７ｂの内面に当接して補強部材７の両側板７ａに対する軸部材３６の位置を決める。軸部材３６の取付貫通穴３７と対向するように本体固定部材５にタップ穴３８が形成されている。雄ネジ３９が軸部材３６の取付貫通穴３７を貫通した状態で、雄ネジ３９の先端部が本体固定部材５のタップ穴３８に螺合される。補強部材７の両側板７ｂの取付長穴３２は、側板７ｂに対するネジ３４の締付力を解除した時に、本体固定部材５のネジ穴３３に螺合されたネジ３４に側板７ｂの移動を係止されない大きさに形成されている。補強部材７の両側板７ｂに対するネジ３４の締付力を解除した状態で、雄ネジ３９の締付力により軸部材３６および補強部材７を本体固定部材５の方向へ押圧して本体固定部材５に対する補強部材７の取付角度を調整することができる。これにより、キャップ支持部材６の位置が調整される。この場合に、キャップ支持部材６が下部突起２５を支点として所定範囲内において回動可能に本体固定部材５の上端部に支持されているから、キャップ支持部材６の位置の調整が容易である。
【０００９】
次に、本発明の他の実施の形態に係るスキャナ保持装置４を図７、図８および図９に基づいて詳細に説明する。図７は本発明の他の実施の形態に係るスキャナ保持装置４の補強部材と板部材および雄ネジを分解して示す分解拡大斜視図である。図８は図７のスキャナ保持装置４のスキャナ支持部材６と本体固定部材５および補強部材７の位置関係を示す一部切り欠き拡大正面図である。図９は補強部材７の取付角度を変えた場合におけるスキャナ保持装置４のスキャナ支持部材６と本体固定部材５および補強部材７の位置関係を示す一部切り欠き拡大正面図である。
図７に示すように、補強部材７の係止溝部３５のほぼ中央部には、本体固定部材５と反対方向へ突出する半円状突起４０が形成されている。板部材４１の両端部は、補強部材７の係止溝部３５に嵌入され半円状突起４０に圧接する。板部材４１は、中央部に取付貫通穴４２が形成されている。板部材４１の両端部には、位置決め片４１ａが形成されている。これらの位置決め片４１ａは、板部材４１の両端部が係止溝部３５に嵌入される場合に補強部材７の側板７ｂに当接して板部材４１の補強部材７に対する位置を決める。
板部材４１の取付貫通穴４２は、本体固定部材７にタップ穴３８と対向している。雄ネジ３９が板部材４１の取付貫通穴４２を貫通した状態で雄ネジ３９の先端部が本体固定部材５のタップ穴３８に螺合される。雄ネジ３９の締付力により板部材４１を係止溝部３５の半円状突起４０に圧接させて補強部材７を本体固定部材５の方向へ押圧して本体固定部材５に対する補強部材７の取付角度を調整することができる。例えば、図８に示すように、スキャナ保持装置４のスキャナ支持部材６と本体固定部材５および補強部材７が配置されていた場合に、雄ネジ３９の締付力を大きくすることにより補強部材７の本体固定部材５に対する取付角度を変えた場合にスキャナ保持装置４のスキャナ支持部材６と本体固定部材５および補強部材７の位置は図９に示すように変わる。雄ネジ３９の締付力を変える場合に、板部材４１が係止溝部３５の半円状突起４０に沿って移動するから、補強部材７の本体固定部材５に対する取付角度を容易に調整することができる。
【００１０】
【発明の効果】
以上のように、請求項１に記載の発明は、スキャナを支持する補強部材の本体固定部材に対する取付角度が調整可能であるから、スキャナ支持部材が荷重により変形しても、スキャナ支持部材の位置を容易に調整することができる。
請求項２に記載の発明は、雄ネジが軸部材の取付貫通穴を貫通した状態で雄ネジの先端部を本体固定部材のタップ穴に螺合し、前記雄ネジの締付力により前記軸部材および前記補強部材を前記本体固定部材の方向へ押圧して前記本体固定部材に対する前記補強部材の取付角度を調整可能としているから、スキャナ支持部材が荷重により変形しても、スキャナ支持部材の位置を容易に調整することができる。
請求項３に記載の発明は、雄ネジが板部材の取付貫通穴を貫通した状態で前記雄ネジの先端部を本体固定部材のタップ穴に螺合し、前記雄ネジの締付力により前記板部材を補強部材の係止溝部の半円状突起に圧接させて前記補強部材を前記本体固定部材の方向へ押圧して前記本体固定部材に対する前記補強部材の取付角度を調整可能としているから、スキャナ支持部材が荷重により変形しても、スキャナ支持部材の位置を容易に調整することができる。
請求項４に記載の発明は、請求項１、２および３のいずれか１つに記載の発明において、前記スキャナ支持部材に２つの下部突起を形成し、かつ、これらの下部突起を前記補強部材に接触させているから、スキャナ支持部材が荷重により変形しても、スキャナ支持部材の位置を容易に調整することができる。
【図面の簡単な説明】
【図１】本発明の１つの実施の形態に係るスキャナ保持装置を用いる画像形成装置を示す斜視図である。
【図２】図１の画像形成装置を分解して示す分解斜視図である。
【図３】図１のスキャナ保持装置を分解して示す分解斜視図である。
【図４】図３のスキャナ保持装置のスキャナ支持部材の下部突起を示す一部拡大斜視図である。
【図５】図３のスキャナ保持装置のスキャナ支持部材および本体固定部材の位置関係を示す一部拡大斜視図である。
【図６】図３のスキャナ保持装置の補強部材と軸部材および雄ネジを示す分解拡大斜視図である。
【図７】本発明の他の実施の形態に係るスキャナ保持装置の補強部材と板部材および雄ネジを分解して示す分解拡大斜視図である。
【図８】図７のスキャナ保持装置のスキャナ支持部材と本体固定部材および補強部材の位置関係を示す一部切り欠き拡大正面図である。
【図９】図８のスキャナ保持装置の補強部材の取付角度を変えた場合におけるスキャナ支持部材と本体固定部材および補強部材の位置関係を示す一部切り欠き拡大正面図である。
【図１０】従来のスキャナ保持装置を用いている画像形成装置を示す分解斜視図である。
【符号の説明】
１  画像形成装置、２  プリンタ部、３  スキャナ、４  スキャナ保持装置、５  本体固定部材、６  スキャナ支持部材、６ａ  溝部、７  補強部材、７ａ  上板、７ｂ  側板、８  外装カバー、９、１０  取付穴、１１  取付片、１２  取付穴、１３、１４  支持片、１５  取付片、１６  取付穴、１７、１８  折曲片、１９、２０  取付穴、２１、２２、２３、２４  ネジ、２５  下部突起、２６  取付穴、２７  ネジ穴、２８  ネジ、２９  取付穴、３０  ネジ穴、３１  ネジ、３２  取付長穴、３３  ネジ穴、３４  ネジ、３５  係止溝部、３６  軸部材、３６ａ  段差部、３７  取付貫通穴、３８  タップ穴、３９  雄ネジ、４０  半円状突起、４１  板部材、４１ａ  位置決め片、４２  取付貫通穴。
【図１】
0003971545.tif 000002
【図２】
0003971545.tif 000003
【図３】
0003971545.tif 000004
【図４】
0003971545.tif 000005
【図５】
0003971545.tif 000006
【図６】
0003971545.tif 000007
【図７】
0003971545.tif 000008
【図８】
0003971545.tif 000009
【図９】
0003971545.tif 000010
【図１０】
0003971545.tif 000011